(57)【特許請求の範囲】
【請求項１】
底面板と前後左右の側面板とを備え、それらにより囲まれた内部に、上方に開口する物品収納空間が形成された同方向において入れ子状に積み重ね可能なトレーにおいて、
前記前後の両側面板と左右の両側面板とのいずれか一方の両側面板には、下位のトレーと同方向に向けた上位のトレーにおける下端が係止される第１係止段部が設けられ、
前記前後の両側面板と左右の両側面板との他方の両側面板には、前記第１係止段部より上方に位置し下位のトレーに対し９０度向きを異ならせた上位のトレーにおける下端が係止される第２係止段部と、上下方向において前記第１係止段部と前記第２係止段部との間に位置し、当該両側面板を貫通する把手孔と、が設けられていることを特徴とするトレー。
【請求項２】
前記第１係止段部は、前後の側面板と左右の側面板とのいずれか一方の対向面の上下方向の中間部内面に設けられていることを特徴とする請求項１に記載のトレー。
【請求項３】
前後左右の側面板の上端に、外向きのフランジを連設したことを特徴とする請求項１または２に記載のトレー。
【請求項４】
請求項１ないし３のいずれかに記載のトレーを収納する収納棚であって、
左右の側板の対向面に、トレーを載置可能な複数の棚板またはトレーの外向きのフランジを支持可能な支持レールを、上下位置を変更可能に取り付けたことを特徴とするトレーの収納棚。
【請求項５】
支持レールを、正面視内向きコ字状をなすものとし、左右の支持レールにおける下片により、トレーにおける互いに対向する側面板の上端の外向きのフランジを、前後方向にスライド可能に支持しうるようにしたことを特徴とする請求項４に記載のトレーの収納棚。
【請求項６】
支持レールの下片の前端に、上向きのストッパ片を設けたことを特徴とする請求項５に記載のトレーの収納棚。
【発明の詳細な説明】
【技術分野】
【０００１】
本発明は、使用時は高く、不使用時は低く積み重ねることができるようにしたトレー及びその収納棚に関する。
【背景技術】
【０００２】
このような、積み重ね可能、いわゆるスタッキング可能な従来のトレーとしては、例えば特許文献１に記載されているものがある。
【先行技術文献】
【特許文献】
【０００３】
【特許文献１】特開２０１１−１７８４５４号公報
【発明の概要】
【発明が解決しようとする課題】
【０００４】
前述の特許文献１に記載されているトレーは、単にトレーの不使用時において、複数のトレーを入れ子状に低く積み重ねることができるようにしたもので、物品をトレーに収容した使用状態で高く積み重ねることはできない。
【０００５】
物品をトレーに収容した状態で積み重ねるには、トレーを平面視長方形とし、このトレーを交互に９０度向きを異ならせて、下位のトレーの上端に、上位のトレーの下面を載置するようにすればよいが、このようにすると、上下のトレーを位置決めして積み重ねることができないだけでなく、積み重ねたトレーが位置ずれして崩れる恐れがある。
【０００６】
本発明は、このような問題点に着目してなされたもので、使用時は高く、不使用時は低くなるように、簡単に積み重ねることができるようにしたトレー及びその収納棚を提供することを目的としている。
【課題を解決するための手段】
【０００７】
前記課題を解決するために、本発明のトレーは、
底面板と前後左右の側面板とを備え、それらにより囲まれた内部に、上方に開口する物品収納空間が形成された同方向において入れ子状に積み重ね可能なトレーにおいて、
前記前後の両側面板と左右の両側面板とのいずれか一方の両側面板には、下位のトレーと同方向に向けた上位のトレーにおける下端が係止される第１係止段部が設けられ、
前記前後の両側面板と左右の両側面板との他方の両側面板には、前記第１係止段部より上方に位置し下位のトレーに対し９０度向きを異ならせた上位のトレーにおける下端が係止される第２係止段部と、上下方向において前記第１係止段部と前記第２係止段部との間に位置し、当該両側面板を貫通する把手孔と、が設けられていることを特徴としている。
この特徴によれば、トレーの不使用時には、複数のトレーを同じ向きで入れ子状に積み重ねることにより、積み重ね寸法を小さくして効率よく保管することができる。また、トレーに物品を収容した使用時においては、下位のトレーに対し上位のトレーを９０度向きを異ならせて、下位のトレーにおける側面板の上端部の係止段部に、上位のトレーの側面板の下端を係止することにより、上下のトレーを、高さを高くして積み重ねることができる。この際、上下のトレーが位置決めされるので、簡単に積み重ねることができるとともに、位置ずれして崩れる恐れもなく、使い勝手のよいトレーを提供することができる。
【０００８】
本発明のトレーは、
前記第１係止段部は、前後の側面板と左右の側面板とのいずれか一方の対向面の上下方向の中間部内面に設けられていることを特徴としている。
この特徴によれば、上下のトレーを入れ子状に積み重ねた際に、上位のトレーが、下位のトレーの内向きの第１係止段部の位置までしか嵌合されないので、上下のトレー同士が深く嵌合して積み重ねられるのが防止され、上下のトレーの分離が容易となる。
【０００９】
本発明のトレーは、
前後左右の側面板の上端に、外向きのフランジを連設したことを特徴としている。
この特徴によれば、外向きのフランジを把手として使用することができるので、トレーの持ち運びが容易となる。
【００１０】
本発明のトレーの収納棚は、
左右の側板の対向面に、トレーを載置可能な複数の棚板またはトレーの外向きのフランジを支持可能な支持レールを、上下位置を変更可能に取り付けたことを特徴としている。
この特徴によれば、複数の棚板または支持レールの上下位置を変更することにより、単品のトレーはもとより、積み重ねた複数のトレーを効率よく支持して保管することができる。
【００１１】
本発明のトレーの収納棚は、
支持レールを、正面視内向きコ字状をなすものとし、左右の支持レールにおける下片により、トレーにおける互いに対向する側面板の上端の外向きのフランジを、前後方向にスライド可能に支持しうるようにしたことを特徴としている。
この特徴によれば、左右の支持レールに沿ってトレーを前後にスライドさせることにより、収納棚へのトレーの出し入れを容易に行うことができる。
【００１２】
本発明のトレーの収納棚は、
支持レールの下片の前端に、上向きのストッパ片を設けたことを特徴としている。
この特徴によれば、地震等の振動により収納棚がぐらついても、左右の支持レールにより支持されたトレーが前方より落下するのが防止される。
【図面の簡単な説明】
【００１３】
【図１】本発明のトレーの平面図である。
【図２】図１のII−II線に沿う拡大縦断面図である。
【図３】同じく、III−III線に沿う拡大縦断面図である。
【図４】トレーを積み重ねる要領を示す斜視図である。
【図５】トレーを同方向に向けて積み重ねた状態の、図２と同部位の縦断面図である。
【図６】同じく、トレーを同方向に向けて積み重ねた状態の、図３と同部位の縦断面図である。
【図７】トレーを交互に９０度向きを異ならせて積み重ねた状態の縦断面図である。
【図８】本発明のトレーの収納棚の正面図である。
【図９】同じく、支持レールと、その側板への取り付け例を示す斜視図である。
【発明を実施するための形態】
【００１４】
本発明に係るトレー及びその収納棚を実施するための形態を実施例に基づいて以下に説明する。
【実施例】
【００１５】
図１は、例えば学校等において、生徒が体操服等を収納するのに用いられる本発明のトレー１の平面図、図２は、図１のII−II線に沿う拡大縦断面図、図３は、同じくIII−III線に沿う拡大縦断面図、図４は斜視図である。なお、便宜上、以下の説明において、前後方向は図１についていう。すなわち、図１の上方を前、下方を後、左方を左、右方を右として説明する。
【００１６】
このトレー１は、底面板２と前後及び左右の側面板３、４よりなる平面視概ね方形の箱状をなし、内部には、上面が開口する物品収納空間が形成されている。また、底面板２には、通気性を良好とするために、多数の長孔５が形成されている。
【００１７】
前後左右の側面板３、４の上縁には、互いに連続するほぼ倒立Ｌ字状断面の外向フランジ６が、一体的に連設されている。前後の側面板３、３の中央部には、内向きの突出部７が形成され、この突出部７と対向する外面には、内向き凹入する凹部８が形成されている（図４参照）。トレー１を積み重ねる際、下位のトレー１の突出部７に上位のトレー１の凹部８が上方より嵌合されるようになっている。なお、この嵌合を容易とするために、突出部７と凹部８の幅を上方に向かって漸次小さくなるようにしてある。
【００１８】
左右の側面板４、４における外向フランジ６の直下の中央上部には、把手孔９、９が穿設されている。前後左右の側面板３、４は、上下のトレーを入れ子状に嵌合しうるように、上方に向かって漸次拡開するように若干傾斜させてある。
【００１９】
前後の側面板３、３における突出部７を含む内面の上下方向の中央部と、左右の側面板４、４における上下方向の中央部の内面とには、前後左右の側面板３、４を、その下半部の幅寸法が上半部のそれよりも若干小なるように内向きに若干折曲することより、前後左右の側面板３、４の内面には、内向きの第１係止段部１０が、同じ高さで連続するように形成されている。
【００２０】
図５に示すように、上下のトレー１を同じ向きで積み重ねた際に、上位のトレー１の下半部が、下位のトレー１の上半部に嵌合されて、上位のトレー１の前後左右の側面板３、４の下端が、下位のトレー１の前後左右の側面板３、４の第１係止段部１０に係止されるようになっている。この際、上下のトレー１が密着するのを防止し、互いの挿脱を容易とするために、前後左右の側面板３、４の上半部の内面間の幅寸法を、前後左右の側面板３、４の下半部の外面間の幅寸法よりも僅かに大としてある。
【００２１】
図３及び図４に示すように、左右の側面板４、４の上端部の内面には、その長手方向の両端部を除いた部分を外向きに折曲することにより、前後方向に長い外向きの第２係止段部１１、１１が形成されている。図２及び図３に示すように、左右の側面板３、３における凹部８を除いた部分の下半部の外面間の寸法Ｌ１は、前後の側面板４、４における第２係止段部１１よりも上方の対向面間の寸法Ｌ２よりも僅かに小とされている。
【００２２】
次に、前述の実施例のトレー１の使用方法について説明する。図４〜図６に示すように、トレー１を使用しないときには、上下複数のトレー１を同じ向きとして、すなわち、この例では上下のトレー１の突出部７と把手孔同士が同じ向きとなるように積み重ねることにより、下位のトレー１における前後左右の側面板３、４の上半部内に、上位のトレー１における前後左右の側面板３、４の下半部が入れ子状に嵌合され、下位のトレー１の内向きの第１係止段部１０に、上位のトレー１の側面板３、４の下端が当接して係止される。このようにして、複数のトレー１の下半部を入れ子状に積み重ねることにより、トレー１の積み重ね寸法が小さくなり、複数のトレー１を効率よく保管することができる。
【００２３】
一方、トレー１の使用時、すなわち、トレー１に物品を収容した際には、図７に示すように、上下複数のトレー１を、交互に９０度向きを異ならせて積み重ねる。すると、下位のトレー１の左右の側面板４の上端部に、上位のトレー１の前後の側面板３の下端部が嵌合されて、上位のトレー１の下端が、下位のトレー１の第２係止段部１１に係止される。これにより、上下のトレー１における底面板２の対向面間に大きな空間が形成され、下位のトレー１に収容した物品が、上位のトレー１の底面板２により押圧されるのが防止されるとともに、上下のトレー１が位置決めされて積み重ねられるので、位置ずれして崩れる恐れもない。
【００２４】
以上説明したように、前述の実施例のトレー１においては、トレー１の不使用時には、複数のトレー１を同じ向きで入れ子状に積み重ねることにより、積み重ね寸法を小さくして効率よく保管することができ、また、トレー１の使用時は、上下複数のトレー１を、交互に９０度向きを異ならせて積み重ねるだけで、上下のトレー１における底面板２の対向面間に、下位のトレー１に収容した物品を押圧しない大きさの空間が形成され、しかも上下のトレー１が位置ずれすることもないので、使い勝手のよいトレー１を提供することができる。
【００２５】
また、前後左右の側面板３、４の上下方向の中央部内面に、内向きの第１係止段部１０を設け、この第１係止段部１０に、同方向に向けた上位のトレー１の前後左右の側面板３、４の下端が当接するようにしてあるので、上下のトレー１同士が深く嵌合して積み重ねられるのが防止され、従って上下のトレー１の分離が容易となる。
【００２６】
図８は、前述の実施例のトレーを収納するための、学校等で使用される収納棚の正面図である。この収納棚１２は、前面が開口された縦長の箱形をなし、左右の側板１３、１３と中央部の中間側板１４との間には、トレー１の収納空間Ｓが形成されている。
【００２７】
右方の側板１３と中間側板１４との対向面には、互いに対向する前後１対ずつのダボ孔１５が、上下方向に所定間隔おきに形成され、左右に対向するダボ孔１５に嵌合された支持ピン１６により、棚板１７が、上下位置変更可能に支持されている。棚板１７には、単品または複数積み重ねたトレー１が載置されるようになっている。１８は、各トレー１の前後両面の凹部８に貼着されたネームプレートである。なお、ダボ孔１５に代えて雌ねじ孔とし、この雌ねじ孔に、支持ピンの先端部に形成した雄ねじを螺合させてもよい。
【００２８】
図９にも示すように、左方の側板１３と中間側板１４との対向面（図９においては、中間側板は図示略）には、互いに対向する前後１対ずつの雌ねじ孔１９、１９が、上下方向に所定間隔おきに形成され、この雌ねじ孔１９を利用して、左方の側板１３と中間側板１４との対向面には、トレー１における互いに対向する外向フランジ６を支持可能な左右１対ずつの支持レール２０、２０が、複数の皿ねじ２１をもって、上下位置を変更可能に複数取り付けられている。左右の支持レール２０は、正面視内向きコ字状をなし、その下片２０ａにより、トレー１の外向フランジ６が前後にスライド可能に支持されるようになっている。
【００２９】
支持レール２０の下片２０ａの前後両端には、外向フランジ６が前後方向に大きくスライドするのを規制する上向きのストッパ片２２、２２が連設され、左右の支持レール２０により支持されたトレー１が、前方より落下したり、後方に移動したりするのが防止されるようになっている。また、支持レール２０の上片２０ｂの前後の端部には、切欠部２３が形成され、支持レール２０への外向フランジ６を挿脱を容易に行いうるようにしてある。なお、後部の切欠部２３は、支持レール２０を左右勝手違いで使用するときのために形成されている。
【００３０】
このような収納棚１２を使用すると、右方の複数の棚板１７の上下位置を変更することにより、単品のトレー１はもとより、使用時、不使用時に積み重ねた複数のトレー１を、効率よく載置して保管することができる。
【００３１】
また、左方の側板１３と中間側板１４に取り付けた複数の支持レール２０により、各トレー１の外向フランジ６を支持して、出し入れ自在に容易に収納することができる。この際、支持レール２０の上下位置を変更することにより、前述と同様に、単品または複数積み重ねたトレー１を効率よく支持して保管することもできる。
【００３２】
以上、本発明の実施例を図面により説明してきたが、具体的な構成はこれら実施例に限られるものではなく、本発明の要旨を逸脱しない範囲における変更や追加があっても本発明に含まれる。
【００３３】
前記実施例では、内向きの第１係止段部１０を、前後左右の側面板３、４の内面に連続するように設けたが、前後の側面板３と左右の側面板４とのいずれか一方の対向面のみに設けてもよい。
【００３４】
外向フランジ６を把手として使用しうるので、把手孔９を省略してもよく、また、外向フランジ６を省略して、把手孔９のみとすることもある。さらに、前後の側面板３に形成した突出部７と凹部８も省略してもよい。
【符号の説明】
【００３５】
１                トレー
２                底面板
３                側面板
４                側面板
５                長孔
６                外向フランジ
７                突出部
８                凹部
９                把手孔
１０              第１係止段部
１１              第２係止段部
１２              収納棚
１３              側板
１４              中間側板
１５              ダボ孔
１６              支持ピン
１７              棚板
１８              ネームプレート
１９              雌ねじ孔
２０              支持レール
２０ａ            下片
２０ｂ            上片
２１              皿ねじ
２２              ストッパ片
２３              切欠部
Ｓ                  収納空間
【図１】
0005909072.tif 000002
【図２】
0005909072.tif 000003
【図３】
0005909072.tif 000004
【図４】
0005909072.tif 000005
【図５】
0005909072.tif 000006
【図６】
0005909072.tif 000007
【図７】
0005909072.tif 000008
【図８】
0005909072.tif 000009
【図９】
0005909072.tif 000010